(57)【要約】      （修正有）【課題】Ｘ線診断装置において、診療の目的を達成すると共に、患者への被曝を低減すること。【解決手段】患者ＰのＸ線透視・撮影を行なうＸ線診断装置１０は、患者Ｐに適合する許容被曝線量を設定する許容被曝線量設定部６３と、線量計２２で計測されたＸ線量を、患者Ｐの実被曝線量ａに換算し、この患者ａの実被曝線量ａと許容被曝線量設定部６３から読込む患者Ｐに適合する許容被曝線量ｂとを比較する比較部６４と、この比較部６４による比較の結果、実被曝線量ａと許容被曝線量ｂとが所要の関係である場合、患者Ｐの被曝線量を基準とする被曝線量制御モードにてＸ線条件を制御する高電圧制御回路５５とを設けた。【選択図】図１
2005296277.tif 000002
【特許請求の範囲】
【請求項１】
患者のＸ線透視・撮影を行なうＸ線診断装置において、
前記患者に適合する許容被曝線量を設定する許容被曝線量設定部と、
線量計で計測されたＸ線量を、前記患者の実被曝線量に換算し、この患者の実被曝線量と前記許容被曝線量設定部から読込む前記患者に適合する許容被曝線量とを比較する比較部と、
前記比較部による比較の結果、前記実被曝線量と前記許容被曝線量とが所要の関係である場合、前記患者の被曝線量を基準とする被曝線量制御モードにてＸ線条件を制御する高電圧制御回路とを設けたことを特徴とするＸ線診断装置。
【請求項２】
患者のＸ線透視・撮影を行なうＸ線診断装置において、
各種装置条件から演算される予想被曝線量を記憶する予想被曝線量記憶部と、
前記患者に適合する許容被曝線量を設定する許容被曝線量設定部と、
前記予想被曝線量記憶部に記憶される予想被曝線量から所要装置条件に相当する所要予想被曝線量を読込み、この所要予想被曝線量と前記許容被曝線量設定部から読込む前記患者の許容被曝線量とを比較する比較部と、
前記比較部による比較の結果、前記所要予想被曝線量と前記許容被曝線量とが所要の関係である場合、前記患者の被曝線量を基準とする被曝線量制御モードにてＸ線条件を制御する高電圧制御回路とを設けたことを特徴とするＸ線診断装置。
【請求項３】
前記比較部による比較の結果を受信し、映像信号を基準とする映像信号制御モード又は前記被曝線量制御モードに切替えるモード切替部を設けたことを特徴とする請求項１又は２に記載のＸ線診断装置。
【請求項４】
Ｉ．Ｉ．からのビデオ信号レベルによりＴＶカメラの自動絞りを制御したり、自動利得制御によりカメラの利得を制御したりする自動輝度調整回路を設けたことを特徴とする請求項１又は２に記載のＸ線診断装置。
【請求項５】
患者のＸ線透視・撮影を行なうＸ線診断方法において、
前記患者に適合する許容被曝線量が設定される許容被曝線量設定工程と、
所要装置条件が設定される所要装置条件設定工程と、
前記所要装置条件にて、前記患者に向かってＸ線が曝射されるＸ線曝射工程と、
前記Ｘ線からＸ線量が計測され、このＸ線量が前記患者の実被曝線量に換算される実被曝線量換算工程と、
前記実被曝線量換算工程にて換算された前記患者の実被曝線量が入力されると共に、前記許容被曝線量設定工程にて設定された前記患者に適合する許容被曝線量が読込まれる実被曝線量入力・許容被曝線量読込み工程と、
前記患者の実被曝線量と前記患者に適合する許容被曝線量とが比較される比較工程と、
前記比較工程による比較の結果、前記実被曝線量と前記許容被曝線量とが所要の関係である場合、前記患者の被曝線量を基準とする被曝線量制御モードにてＸ線条件が制御されるＸ線条件制御工程とを有することを特徴とするＸ線診断方法。
【請求項６】
前記許容被曝線量が部位毎に設定されると共に、前記実被曝線量が部位毎に換算されることで、前記比較工程にて、前記患者の実被曝線量と前記患者に適合する許容被曝線量とが部位毎に比較されることを特徴とする請求項５に記載のＸ線診断方法。
【請求項７】
患者のＸ線透視・撮影を行なうＸ線診断方法において、
診療事前に、各種装置条件から演算される予想被曝線量が記憶される予想被曝線量演算・記憶工程と、
前記患者に適合する許容被曝線量が設定される許容被曝線量設定工程と、
所要装置条件が設定される所要装置条件設定工程と、
前記予想被曝線量記憶工程にて記憶される予想被曝線量から前記所要装置条件に相当する所要予想被曝線量が読込まれ、この所要予想被曝線量と前記許容被曝線量設定工程にて読込まれる前記患者の許容被曝線量とが比較される比較工程と、
前記比較工程による比較の結果、前記所要予想被曝線量と前記許容被曝線量とが所要の関係である場合、前記患者の被曝線量を基準とする被曝線量制御モードにてＸ線条件が制御されるＸ線条件制御工程とを有することを特徴とするＸ線診断方法。
【請求項８】
前記予想被曝線量が部位毎に記憶されると共に、前記許容被曝線量が部位毎に設定されることで、前記比較工程にて、前記所要予想被曝線量と前記患者に適合する許容被曝線量とが部位毎に比較されることを特徴とする請求項７に記載のＸ線診断方法。
【請求項９】
前記比較工程による比較の結果を受信し、映像信号を基準とする映像信号制御モード又は前記被曝線量制御モードに切替えることを特徴とする請求項５又は７に記載のＸ線診断方法。
【発明の詳細な説明】
【技術分野】
【０００１】
本発明は、Ｘ線で患者を透視して得られた透視画像をフィルムで撮像したり、ＣＲＴに表示したりする技術に係り、特に、患者の許容被曝線量によってＸ線条件を制御するＸ線診断装置及びその診断方法に関する。
【背景技術】
【０００２】
従来のＸ線診断装置では、患者の外部からＸ線を照射し、患者を透過したＸ線をＸ線検出器又はＸ線感光フィルムにより捕らえて、その透過線量に比例した陰影像を観察している。
【０００３】
また、Ｘ線検出器を用いる場合、検出信号をデジタル化してＣＲＴ(Cathode Ray Tube)等で陰影像を表示する。
【０００４】
図５は、従来のＸ線診断装置を示すブロック図である。
【０００５】
図５に示されたＸ線診断装置１には、大きくは、患者にＸ線を曝射し透過したＸ線を検出して検出信号を得る保持装置２及び本体制御装置３が備えられる。
【０００６】
本体制御装置３には、保持装置２からデジタル画像信号を信号処理して画像信号のノイズを除去する画像収集系と、この画像収集系からの画像信号のデータを格納する画像メモリと、ウィンドウレベルやウィンドウ幅の指定に従った画像処理等を行なう画像処理系と、この画像処理系により画像処理等された画像を表示するＴＶモニタとが設けられる。
【０００７】
また、画像メモリに格納された画像データは、画像保存系から光ディスク装置等の画像ファイル装置に書込まれ、保存されるようになっている。
【０００８】
さらに、本体制御装置３には自動輝度調整回路４が設けられ、この自動輝度調整回路４は、保持装置２のＰＭＴ（図示しない）の検出信号又はＴＶカメラ制御ユニット（図示しない）からの画像信号に基づいてＴＶモニタの表示画像の明るさが一定となるようにＸ線管（図示しない）を再び曝射駆動する。
【０００９】
また、自動輝度調整回路４から送られる信号と操作卓５から入力されたＸ線撮影条件とによりＸ線管に供給する高電圧及びその電流値等のＸ線条件を制御する高電圧制御回路６が設けられる（例えば、特許文献１参照。）。
【特許文献１】特開２０００−２６１７２４号公報（第３頁−第５頁、図１）
【発明の開示】
【発明が解決しようとする課題】
【００１０】
上述したように、従来のＸ線診断装置では、映像系への最適化が優先され、Ｘ線条件の制御信号が保持装置のＩ．Ｉ．（Image Intensifier）、ＴＶカメラ等から得られる映像信号によって決められ、患者（被検体）の被曝線量は最小皮膚焦点でのみ制限されていた。よって、患者の被曝線量については考慮されていなかった。
【００１１】
特に、患者毎に、又は患者の各部位によって許容できる被曝線量に差異があるが、患者毎、又は患者の各部位毎の被曝線量を考慮したＸ線条件の制御がなされていなかった。
【００１２】
また、比較的被曝の少ないＸ線条件にて撮影を行なうと多少の画像劣化が発生するが、例えば、体内の異物を確認するのみの診断や、関心領域（ＲＯＩ：Region of Interest）にカテーテルが到達する前の診療では、比較的被曝の少ないＸ線条件でも診療の目的を達成できる。その場合でも、従来のＸ線診断装置では、患者の被曝線量を基準としていなかったので、患者が必要以上に被曝することがあった。
【００１３】
本発明は、上述した事情を考慮してなされたもので、診療の目的を達成できると共に、患者への被曝を低減できるＸ線診断装置及びその診断方法を提供することを目的とする。
【課題を解決するための手段】
【００１４】
本発明に係るＸ線診断装置は、上述した課題を解決するために、患者のＸ線透視・撮影を行なうＸ線診断装置において、前記患者に適合する許容被曝線量を設定する許容被曝線量設定部と、線量計で計測されたＸ線量を、前記患者の実被曝線量に換算し、この患者の実被曝線量と前記許容被曝線量設定部から読込む前記患者に適合する許容被曝線量とを比較する比較部と、前記比較部による比較の結果、前記実被曝線量と前記許容被曝線量とが所要の関係である場合、前記患者の被曝線量を基準とする被曝線量制御モードにてＸ線条件を制御する高電圧制御回路とを設けた。
【００１５】
また、本発明に係るＸ線診断装置は、患者のＸ線透視・撮影を行なうＸ線診断装置において、各種装置条件から演算される予想被曝線量を記憶する予想被曝線量記憶部と、前記患者に適合する許容被曝線量を設定する許容被曝線量設定部と、前記予想被曝線量記憶部に記憶される予想被曝線量から所要装置条件に相当する所要予想被曝線量を読込み、この所要予想被曝線量と前記許容被曝線量設定部から読込む前記患者の許容被曝線量とを比較する比較部と、前記比較部による比較の結果、前記所要予想被曝線量と前記許容被曝線量とが所要の関係である場合、前記患者の被曝線量を基準とする被曝線量制御モードにてＸ線条件を制御する高電圧制御回路とを設けた。
【００１６】
本発明に係るＸ線診断方法は、上述した課題を解決するために、患者のＸ線透視・撮影を行なうＸ線診断方法において、前記患者に適合する許容被曝線量が設定される許容被曝線量設定工程と、所要装置条件が設定される所要装置条件設定工程と、前記所要装置条件にて、前記患者に向かってＸ線が曝射されるＸ線曝射工程と、前記Ｘ線からＸ線量が計測され、このＸ線量が前記患者の実被曝線量に換算される実被曝線量換算工程と、前記実被曝線量換算工程にて換算された前記患者の実被曝線量が入力されると共に、前記許容被曝線量設定工程にて設定された前記患者に適合する許容被曝線量が読込まれる実被曝線量入力・許容被曝線量読込み工程と、前記患者の実被曝線量と前記患者に適合する許容被曝線量とが比較される比較工程と、前記比較工程による比較の結果、前記実被曝線量と前記許容被曝線量とが所要の関係である場合、前記患者の被曝線量を基準とする被曝線量制御モードにてＸ線条件が制御されるＸ線条件制御工程とを有する。
【００１７】
また、本発明に係るＸ線診断方法は、患者のＸ線透視・撮影を行なうＸ線診断方法において、診療事前に、各種装置条件から演算される予想被曝線量が記憶される予想被曝線量演算・記憶工程と、前記患者に適合する許容被曝線量が設定される許容被曝線量設定工程と、所要装置条件が設定される所要装置条件設定工程と、前記予想被曝線量記憶工程にて記憶される予想被曝線量から前記所要装置条件に相当する所要予想被曝線量が読込まれ、この所要予想被曝線量と前記許容被曝線量設定工程にて読込まれる前記患者の許容被曝線量とが比較される比較工程と、前記比較工程による比較の結果、前記所要予想被曝線量と前記許容被曝線量とが所要の関係である場合、前記患者の被曝線量を基準とする被曝線量制御モードにてＸ線条件が制御されるＸ線条件制御工程とを有する。
【発明の効果】
【００１８】
本発明に係るＸ線診断装置及びその診断方法によると、診療の目的を達成できると共に、患者への被曝を低減できる。
【発明を実施するための最良の形態】
【００１９】
本発明に係るＸ線診断装置及びその診断方法の実施の形態について、添付図面を参照して説明する。
【００２０】
図１は、本発明に係るＸ線診断装置の第１実施の形態を示すブロック図である。
【００２１】
図１は、患者（被検体）Ｐの診断又は治療を行なうＸ線診断装置１０を示し、このＸ線診断装置１０は、Ｘ線発生装置としてのＸ線管が寝台天板の上方に位置するオーバーテーブルの場合として示される。なお、Ｘ線診断装置１０は、Ｘ線管が寝台天板の下方に位置するアンダーテーブルの場合でもよい。
【００２２】
また、図１に示されたＸ線診断装置１０では、映像系の最適化のため映像信号を基準としてＸ線条件が制御される映像信号制御モードと、患者Ｐの被曝線量を基準としてＸ線条件が制御される被曝線量制御モードとの併用モードの場合を示す。
【００２３】
Ｘ線診断装置１０には、大きくは、保持装置１１及び本体制御装置１２が備えられる。保持装置１１のＣアーム（図示しない）の一端には、高電圧供給回路２０から高電圧電力の供給を受けて、この高電圧電力の条件に応じて患者Ｐに向かってＸ線を曝射するＸ線管２１と、このＸ線管２１の出射側に、ほぼリアルタイムにＸ線量を計測し、このＸ線量を患者Ｐが実際に受ける実被曝線量ａに換算する線量計２２とが設けられる。
【００２４】
なお、Ｘ線管２１の出射側に、複数枚の鉛羽で構成されるＸ線照射野絞りや、シリコンゴム等で形成されハレーションを防止するために所定量の照射Ｘ線を減衰させる補償フィルタを設けてもよい。
【００２５】
また、寝台天板２５を挟んだＣアームのもう一方の端部に設けられるＸ線ＴＶ装置２６には、透過Ｘ線を入射させるＩ．Ｉ．（Image Intensifier）２７と、このＩ．Ｉ．２７の出力側には変換された光学像を適切な大きさに補正する光学系２８と、補正された光学像をＴＶ映像信号に変換するＴＶカメラ（又は撮影素子）２９とが具備される。
【００２６】
さらに、ＴＶカメラ２９からのＴＶ映像信号を入力し適当な信号レベルまで増幅及びＡ／Ｄ変換を行ないデジタル画像信号に変換するＴＶカメラ制御ユニット３０と、Ｉ．Ｉ．２７の可視光出力の一部を入射してその強度を電気信号に変換するＰＭＴ（Photo Multiplier Tube：光電子増倍管）３１とが設置される。
【００２７】
Ｉ．Ｉ．２７は、図示しない入力蛍光面、光電陰極、収束（フォーカス）電極、陽極及び出力蛍光面で構成される大形の真空管、入力窓並びに高圧電源等からなり、ＴＶカメラ２９のＴＶ映像信号は、本体制御装置１２に送られるようになっている。なお、Ｉ．Ｉ．２７からＴＶカメラ２９までの映像系は、平面検出器に置き換えられてもよい。
【００２８】
保持装置１１全体を制御する本体制御装置１２には、保持装置１１のＴＶカメラ制御ユニット３０からデジタル画像信号を信号処理して画像信号のノイズを除去する画像収集系４１と、この画像収集系４１からの画像信号のデータを格納する画像メモリ４２と、ウィンドウレベルやウィンドウ幅の指定に従った画像処理等を行なう画像処理系４３と、この画像処理系４３により画像処理等された画像を表示するＴＶモニタ４４とが設けられる。
【００２９】
また、画像メモリ４２に格納された画像データは、画像保存系４５から光ディスク装置等の画像ファイル装置４６に書込まれ、保存されるようになっている。
【００３０】
さらに、本体制御装置１２には自動輝度調整（ＡＢＣ：Automatic Brightness Control）回路５１が設けられ、この自動輝度調整回路５１は、映像信号を基準としてＸ線条件が制御される映像信号制御モードの場合に、保持装置１１のＰＭＴ３１の検出信号又はＴＶカメラ制御ユニット３０からの画像信号に基づいてＴＶモニタ４４の表示画像の明るさが一定となるようにＸ線管２１を再び曝射駆動する。
【００３１】
また、本体制御装置１２には、映像信号制御モード又は被曝線量制御モードに切替えるモード切替部５４と、映像信号制御モードの場合、自動輝度調整回路５１から送られる信号と操作卓５３から入力されたＸ線撮影条件とによりＸ線管２１に供給する高電圧及びその電流値等のＸ線条件を制御する高電圧制御回路５５とが設けられる。
【００３２】
加えて、本体制御装置１２には、患者Ｐの個人情報（年齢、性別、体格及び過去の被曝積算量等）及び診断主義によって、患者Ｐに適合する許容被曝線量ｂを設定する許容被曝線量設定部６３が設けられ、この許容被曝線量設定部６３から読込まれる許容被曝線量ｂと、保持装置１１の線量計２２から入力される実被曝線量ａとを比較する比較部６４が設けられる。
【００３３】
許容被曝線量ｂは、一般的に知られる限界被曝線量を、患者Ｐの個人情報にて補正するものである。例えば患者Ｐが未年者の場合、限界被曝線量に所要係数ｋ（ｋ＜１）を乗じて算出する。また、例えば患者Ｐが過去に被曝がある場合、限界被曝線量から過去の積算被曝線量を減算して算出する。
【００３４】
また、比較部６４の比較の結果によって、映像信号制御モード又は被曝線量制御モードの指令信号をモード切替部５４に送信できるようになっている。切替部５４によって被曝線量制御モードに切替えられると、高電圧制御回路５５はＸ線条件を制御して、患者Ｐの全ての部位が実際に受ける実被曝線量ａと許容被曝線量ｂとを所要の関係に維持する。
【００３５】
患者Ｐの全ての部位が実際に受ける実被曝線量ａと許容被曝線量ｂとを所要の関係に維持すると、Ｉ．Ｉ．２７へのＸ線入射量が少なくなる。よって、Ｉ．Ｉ．２７の蛍光面をＴＶカメラ２９で撮影したビデオ信号の出力レベルは、所定のレベルを割り込むことになる。このため、自動輝度調整回路５１では、ビデオ信号レベルによりＴＶカメラ２９の自動絞り（オートアイリス）を制御したり、自動利得制御（ＡＧＣ）によりカメラの利得を制御したりする。
【００３６】
また、患者Ｐの実被曝線量ａや許容被曝線量ｂは、比較部６４を介してＲＩＳデータベース（図示しない）に送信されたり、操作者へ通知されたりする。
【００３７】
続いて、Ｘ線診断装置１０を用いたＸ線診断方法について、図２に示されたフローチャートを用いて説明する。ここでは、映像系の最適化のため映像信号を基準としてＸ線条件が制御される映像信号制御モードと、患者Ｐの実被曝線量ａ及び患者Ｐの許容被曝線量ｂの部位毎の関係にて患者Ｐの被曝線量を基準としてＸ線条件が制御される被曝線量制御モードとの併用モードとして説明する。
【００３８】
まず、患者Ｐの診療時（臨床時）、患者Ｐの個人情報（年齢、性別、体格及び過去の被曝積算量等）及び診断主義によって、患者Ｐにおける各部位に適合する許容被曝線量ｂが設定される（ステップＳ１）。許容被曝線量ｂは、所定値によって設定されてもよいし、許容被曝線量ｂを所定値範囲からなる数レベルに分けてレベルによって設定されてもよい。
【００３９】
ここで、体内の異物を確認するのみの診断や、関心領域（ＲＯＩ：Region of Interest）にカテーテルが到達する前の診療のように、比較的被曝の少ないＸ線条件にて撮影を行なっても診療の目的が達成される場合は、許容被曝線量ｂの値又はレベルを低く設定する。
【００４０】
次いで、Ｘ線診断装置１０の所要装置条件が設定される（ステップＳ２）。Ｘ線診断装置１０の装置条件には、Ｘ線条件や保持装置１１の位置条件があり、Ｘ線条件には、管電圧（ｋＶ）、管電流（ｍＡ）、Ｘ線照射時間（ｍｓｅｃ．）等がある。また、保持装置１１の位置条件には、Ｃアーム（図示しない）のＬＡＯ／ＲＡＯ、ＣＲＡ／ＣＡＵ及びＳＩＤ（Source-Image Distance）がある。
【００４１】
そして、ステップＳ２にて設定されたＸ線診断装置１０の所要装置条件にて、保持装置１１の高電圧供給回路２０から高電圧電力の供給を受けて、Ｘ線管２１から患者Ｐに向かってＸ線が曝射される（ステップＳ３）。
【００４２】
線量計２２では、Ｘ線量がほぼリアルタイムに計測され、患者Ｐの各部位毎が実際に受ける実被曝線量ａに換算され（ステップＳ４）、この実被曝線量ａが、線量計２２からＸ線装置本体１２の比較部６４にほぼリアルタイムで入力される。さらに、比較部６４には、許容被曝線量設定部６３でステップＳ１にて設定した患者Ｐにおける各部位に適合した許容被曝線量ｂが読込まれる（ステップＳ５）。
【００４３】
そして、比較部６４では、保持装置１１の線量計２２から入力された患者Ｐの部位毎の実被曝線量ａと、許容被曝線量設定部６３から読込まれる患者Ｐの部位毎の許容被曝線量ｂとが部位毎に比較され、患者Ｐにおける全ての部位について、実被曝線量ａと許容被曝線量ｂとが所要の関係であるか否かが判断される。例えば、患者Ｐにおける全ての部位について、実被曝線量ａが許容被曝線量ｂより低いか否かが判断される（ステップＳ６）。
【００４４】
ステップＳ６の判断にてＹｅｓ、すなわち、患者Ｐにおける全ての部位について、実被曝線量ａが許容被曝線量ｂより低いと判断された場合、Ｘ線診断装置１０による患者Ｐの診療を継続するか否かが判断される（ステップＳ７）。ステップＳ７の判断にてＹｅｓ、すなわち、Ｘ線診断装置１０による患者Ｐの診療を継続すると判断された場合、比較部６４からモード切替部５４に映像信号制御モードの指令が送信される（ステップＳ８）。
【００４５】
ステップＳ８にてモード切替部５４に映像信号制御モードの指令が受信されると、映像信号制御モードに切替わり、Ｉ．Ｉ．２７の蛍光出力維持するための信号と、操作卓５３から入力されたＸ線撮影条件とによって決まる、Ｘ線管２１に供給する高電圧及びその電流値等のＸ線条件によって高電圧供給回路２０が制御され（ステップＳ９）、高電圧供給回路２０から高圧電力の供給を受けて、患者Ｐに向かってＸ線が曝射され（ステップＳ１０）、ステップＳ４に戻る。
【００４６】
また、ステップＳ７の判断にてＮｏ、すなわち、Ｘ線診断装置１０による患者Ｐの診療を継続しないと判断された場合、診療の動作が終了される。
【００４７】
一方、ステップＳ６の判断にてＮｏ、すなわち、患者Ｐの各部位のうち少なくとも１つの部位について、実被曝線量ａが許容被曝線量ｂより高いと判断された場合、Ｘ線診断装置１０による患者Ｐの診療を継続するか否かが判断される（ステップＳ１１）。ステップＳ１１の判断にてＹｅｓ、すなわち、Ｘ線診断装置１０による患者Ｐの診療を継続すると判断された場合、比較部６４からモード切替部５４に被曝線量制御モードの指令が送信される（ステップＳ１２）。
【００４８】
ステップＳ１２にてモード切替部５４に被曝線量制御モードの指令が受信されると、被曝線量制御モードに切替わり、ステップＳ６の判断にて実被曝線量ａが許容被曝線量ｂより高かった部位に相当する許容被曝線量ｂによって決まる、Ｘ線管２１に供給する高電圧及びその電流値等のＸ線条件によって高電圧供給回路２０が制御される（ステップＳ１３）。高電圧供給回路２０から高圧電力の供給を受けて、患者Ｐに向かってＸ線が曝射され（ステップＳ１４）、ステップＳ４に戻る。
【００４９】
また、ステップＳ１１の判断にてＮｏ、すなわち、Ｘ線診断装置１０による患者Ｐの診療を継続しないと判断された場合、診療の動作が終了される。
【００５０】
ここで、ステップＳ１０及びＳ１４にて、保持装置１１のＸ線管２１から患者Ｐに向かってＸ線が曝射されることで、Ｘ線ＴＶ装置２６のＩ．Ｉ．２７に透過Ｘ線が入射され、このＩ．Ｉ．２７の出力側に具備される光学系２８によって、光学像が適切な大きさに補正される。光学系２８にて補正された光学像はＴＶカメラ（又は撮影素子）２９にてＴＶ映像信号に変換され、ＴＶカメラ２９からＴＶカメラ制御ユニット３０にＴＶ映像信号が入力され、ＴＶカメラ制御ユニット３０にて適当な信号レベルまで増幅及びＡ／Ｄ変換が行なわれデジタル画像信号に変換される。
【００５１】
ＴＶカメラ制御ユニット３０のデジタル画像信号は本体制御装置１２の画像収集系４１にて信号処理され画像信号のノイズが除去される。画像収集系４１の画像信号のデータは画像メモリ４２に格納され、画像処理系４３にて、ウィンドウレベルやウィンドウ幅の指定に従った画像処理等が行なわれる。画像処理系４３により画像処理等された画像はモニタ４４にて表示される。
【００５２】
また、画像メモリ４２に格納された画像データは、画像保存系４５から光ディスク装置等の画像ファイル装置４６に書込まれ、保存される。
【００５３】
なお、本実施形態のＸ線診断装置１０及びＸ線診断方法では、映像信号制御モードと被曝線量制御モードとを併用しているが、被曝線量制御モードのみを有してもよい。その場合、図１に示されたＰＭＴ３１、自動調整回路５１及び切替部５４が不要となり、図２に示されたフローチャートのステップＳ７乃至Ｓ１０が不要となる。そして、Ｘ線条件を制御して、患者Ｐの全ての部位が実際に受ける実被曝線量ａを、ステップＳ１にて設定した許容被曝線量ｂ以下に維持する。
【００５４】
また、図２に示されたフローチャートのステップＳ３乃至Ｓ１４のＸ線透視・撮影の途中であっても、Ｘ線診断装置１０の装置条件が変更される場合がある。その場合、装置条件が変更される度に、ステップＳ２に戻る。
【００５５】
本実施形態のＸ線診断装置１０及びＸ線診断方法によると、患者Ｐにおける全ての部位について、実被曝線量ａと許容被曝線量ｂとが所要の関係となるようにＸ線条件を制御することで、診療の目的を達成できると共に、患者への被曝を低減できる。
【００５６】
図３は、本発明に係るＸ線診断装置の第２実施の形態を示すブロック図である。
【００５７】
図３は、患者Ｐの診断又は治療を行なうＸ線診断装置１０Ａを示し、このＸ線診断装置１０Ａでは、映像系の最適化のため映像信号を基準としてＸ線条件が制御される映像信号制御モードと、患者Ｐの被曝線量を基準としてＸ線条件が制御される被曝線量制御モードとの併用モードの場合を示す。
【００５８】
図３に示されたＸ線診断装置１０Ａには、大きくは、保持装置１１Ａ及び本体制御装置１２Ａが備えられる。
【００５９】
本体制御装置１２Ａには、Ｘ線診断装置１０Ａの各種装置条件毎に予想される予想被曝線量ｃをそれぞれ演算する予想被曝線量演算部７１が設けられ、この予想被曝線量演算部７１にて演算された予想被曝線量ｃとＸ線診断装置１０Ａの装置条件とを対比して記憶する予想被曝線量記憶部７２が設けられる。また、この予想被曝線量記憶部７２から、診療（臨床）時のＸ線診断装置１０Ａの所要装置条件に相当する所要予想被曝線量ｃｎ（ｎ＝１，２，…）が比較部６４に読み込まれるようになっている。
【００６０】
加えて、本体制御装置１２Ａには、患者Ｐの個人情報及び診断主義によって、患者Ｐに適合する許容被曝線量ｂを設定する許容被曝線量設定部６３が設けられ、この許容被曝線量設定部６３から読込まれる許容被曝線量ｂと、予想被曝線量記憶部７２から読込まれる所要予想被曝線量ｃｎとを比較する比較部６４が設けられる。
【００６１】
なお、図３に示されたＸ線診断装置１０Ａについて、図１に示されたＸ線診断装置１０の部材と同一の部材には、同一符号を付して説明を省略する。
【００６２】
続いて、Ｘ線診断装置１０Ａを用いたＸ線診断方法について、図４に示されたフローチャートを用いて説明する。ここでは、映像系の最適化のため映像信号を基準としてＸ線条件が制御される映像信号制御モードと、患者Ｐの許容被曝線量ｂ及び患者Ｐの所要予想被曝線量ｃｎの部位毎の関係にて患者Ｐの被曝線量を基準としてＸ線条件が制御される被曝線量制御モードとの併用モードとして説明する。
【００６３】
まず、患者Ｐの診療前に、図３に示されたＸ診断装置１０ＡのＸ線装置本体１２Ａに設けた予想被曝線量演算部７１に、Ｘ線診断装置１０Ａの各種装置条件が入力され、この各種装置条件毎に予想される部位毎の予想被曝線量ｃがそれぞれ演算される。部位毎の予想被曝線量ｃの演算は、例えば、Ｘ線診断装置１０Ａの各種装置条件から表面線量簡易換算式（ＮＤＤ：Non Dosimeter Dosimetry）によって、診療時（臨床時）の表面被曝線量として算出される。
【００６４】
予想被曝線量演算部７１にて演算された部位毎の予想被曝線量ｃは、Ｘ線診断装置１０Ａの装置条件と対比され、予想被曝線量記憶部７２に記憶される（ステップＳ２１）。
【００６５】
患者Ｐの診療時（臨床時）、患者毎の個人情報及び診断主義によって、患者Ｐの各部位に適合する許容被曝線量ｂが設定される（ステップＳ１）。許容被曝線量ｂは、所定値によって設定されてもよいし、許容被曝線量ｂを所定値範囲からなる数レベルに分けてレベルによって設定されてもよい。
【００６６】
ここで、体内の異物を確認するのみの診断や、ＲＯＩにカテーテルが到達する前の診療のように、比較的被曝の少ないＸ線条件にて撮影を行なっても診療の目的が達成される場合は、許容被曝線量ｂの値又はレベルを低く設定する。
【００６７】
次いで、Ｘ線診断装置１０Ａの所要装置条件が設定される（ステップＳ２）。
【００６８】
また、ステップＳ２１にて予想被曝線量記憶部７２に記憶された予想被曝線量ｃから、ステップＳ２にて設定されたＸ線診断装置１０Ａの所要装置条件に相当する所要予想被曝線量ｃｎが比較部６４に読込まれる。さらに、比較部６４には、許容被曝線量設定部６３から許容被曝線量ｂが読込まれる（ステップＳ２２）。
【００６９】
そして、比較部６４では、予想被曝線量記憶部７２から読込まれた部位毎の所要予想被曝線量ｃｎと、許容被曝線量設定部６３から読込まれた患者Ｐの部位毎の許容被曝線量ｂとが部位毎に比較され、患者Ｐにおける全ての部位について、所要予想実被曝線量ｃｎと許容被曝線量ｂとが所要の関係であるか否かが判断される。例えば、患者Ｐの全ての部位について、所要予想被曝線量ｃｎが許容被曝線量ｂより低いか否かが判断される（ステップＳ２３）。
【００７０】
ステップＳ２３の判断にてＹｅｓ、すなわち、患者Ｐの全ての部位について、所要予想被曝線量ｃｎが許容被曝線量ｂより低いと判断された場合、Ｘ線診断装置１０Ａによる患者Ｐの診療を継続するか否かが判断される（ステップＳ７）。ステップＳ７の判断にてＹｅｓ、すなわち、Ｘ線診断装置１０Ａによる患者Ｐの診療を継続すると判断された場合、比較部６４からモード切替部５４に映像信号制御モードの指令が送信される（ステップＳ８）。
【００７１】
ステップＳ８にてモード切替部５４に映像信号制御モードの指令が受信されると、映像信号制御モードに切替わり、Ｉ．Ｉ．２７の蛍光出力維持するための信号と、操作卓５３から入力されたＸ線撮影条件とによって決まる、Ｘ線管２１に供給する高電圧及びその電流値等のＸ線条件によって高電圧供給回路２０が制御され（ステップＳ９）、高電圧供給回路２０から高圧電力の供給を受けて、患者Ｐに向かってＸ線が曝射される（ステップＳ１０）。
【００７２】
次いで、Ｘ線診断装置１０Ａの装置条件の設定変更があるか否かが判断される（ステップＳ２４）。ステップＳ２４の判断にてＹｅｓ、すなわち、Ｘ線診断装置１０Ａの装置条件の設定変更があると判断された場合、ステップＳ２２に戻る。
【００７３】
一方、ステップＳ２４の判断にてＮｏ、すなわち、Ｘ線診断装置１０Ａの装置条件の設定変更がないと判断された場合、ステップＳ９に戻る。
【００７４】
また、ステップＳ７の判断にてＮｏ、すなわち、Ｘ線診断装置１０Ａによる患者Ｐの診療を継続しないと判断された場合、診療の動作が終了される。
【００７５】
一方、ステップＳ２３の判断にてＮｏ、すなわち、患者Ｐの各部位のうち少なくとも１つの部位について、所要予想被曝線量ｃｎが許容被曝線量ｂより高いと判断された場合、Ｘ線診断装置１０Ａによる患者Ｐの診療を継続するか否かが判断される（ステップＳ１１）。ステップＳ１１の判断にてＹｅｓ、すなわち、Ｘ線診断装置１０Ａによる患者Ｐの診療を継続すると判断された場合、比較部６４からモード切替部５４に被曝線量制御モードの指令が送信される（ステップＳ１２）。
【００７６】
ステップＳ１２にてモード切替部５４に被曝線量制御モードの指令が受信されると、被曝線量制御モードに切替わり、ステップＳ６の判断にて所要予想被曝線量ｃｎが許容被曝線量ｂより高かった部位に相当する許容被曝線量ｂによって決まる、Ｘ線管２１に供給する高電圧及びその電流値等のＸ線条件によって高電圧供給回路２０が制御される（ステップＳ１３）。高電圧供給回路２０から高圧電力の供給を受けて、患者ＰにＸ線が曝射される（ステップＳ１４）。
【００７７】
そして、Ｘ線診断装置１０Ａの装置条件の設定変更があるか否かが判断される（ステップＳ２５）。ステップＳ２５の判断にてＹｅｓ、すなわち、Ｘ線診断装置１０Ａの装置条件の設定変更があると判断された場合、ステップＳ２２に戻る。
【００７８】
一方、ステップＳ２５の判断にてＮｏ、すなわち、Ｘ線診断装置１０Ａの装置条件の設定変更がないと判断された場合、ステップＳ１３に戻る。
【００７９】
ここで、ステップＳ１０及びＳ１４にて、保持装置１１のＸ線管２１から患者Ｐに向かってＸ線が曝射されることで、Ｘ線ＴＶ装置２６のＩ．Ｉ．２７に透過Ｘ線が入射され、このＩ．Ｉ．２７の出力側に具備される光学系２８によって、光学像が適切な大きさに補正される。光学系２８にて補正された光学像はＴＶカメラ（又は撮影素子）２９にてＴＶ映像信号に変換され、ＴＶカメラ２９からＴＶカメラ制御ユニット３０にＴＶ映像信号が入力され、ＴＶカメラ制御ユニット３０にて適当な信号レベルまで増幅及びＡ／Ｄ変換が行なわれデジタル画像信号に変換される。
【００８０】
ＴＶカメラ制御ユニット３０のデジタル画像信号は本体制御装置１２Ａの画像収集系４１にて信号処理され画像信号のノイズが除去される。画像収集系４１の画像信号のデータは画像メモリ４２に格納され、画像処理系４３にて、ウィンドウレベルやウィンドウ幅の指定に従った画像処理等が行なわれる。画像処理系４３により画像処理等された画像はモニタ４４にて表示される。
【００８１】
また、画像メモリ４２に格納された画像データは、画像保存系４５から光ディスク装置等の画像ファイル装置４６に書込まれ、保存される。
【００８２】
なお、本実施形態のＸ線診断装置１０Ａ及びＸ線診断方法では、映像信号制御モードと被曝線量制御モードとを併用しているが、被曝線量制御モードのみを有してもよい。その場合、図３に示されたＰＭＴ３１及び自動調整回路５１が不要となり、図４に示されたフローチャートのステップＳ７乃至Ｓ１０及びＳ２４が不要となる。そして、Ｘ線条件を制御して、患者Ｐの全ての部位にて予想される所要予想被曝線量ｃｎを、ステップＳ１にて設定した許容被曝線量ｂ以下に維持する。
【００８３】
本実施形態のＸ線診断装置１０Ａ及びＸ線診断方法によると、患者Ｐにおける全ての部位について、所要予想被曝線量ｃｎと許容被曝線量ｂとが所要の関係となるようにＸ線条件を制御することで、診療の目的を達成できると共に、患者への被曝を低減できる。
【図面の簡単な説明】
【００８４】
【図１】本発明に係るＸ線診断装置の第１実施の形態を示すブロック図。
【図２】本発明に係るＸ線診断装置を用いたＸ線診断方法を示すフローチャート。
【図３】本発明に係るＸ線診断装置の第２実施の形態を示すブロック図。
【図４】本発明に係るＸ線診断装置を用いたＸ線診断方法を示すフローチャート。
【図５】従来のＸ線診断装置を示すブロック図。
【符号の説明】
【００８５】
１０，１０Ａ  Ｘ線診断装置
３０  ＴＶカメラ制御ユニット
５４  モード切替部
６３  許容被曝線量設定部
６４  比較部
７２  予想被曝線量記憶部
【図１】
2005296277.tif 000003
【図２】
2005296277.tif 000004
【図３】
2005296277.tif 000005
【図４】
2005296277.tif 000006
【図５】
2005296277.tif 000007